(57)【要約】【課題】ユーザが注目したコンテンツ内の位置とコンテンツ全体との相対的な関係を把握させる。【解決手段】端末装置１において、コンテンツを表示している表示部１０４に対するユーザの視線の対象となる、逐次変化する空間的な視線位置である視線位置情報に基づき、前記コンテンツに対するユーザの空間的な注目位置を特定する注目位置特定手段（注目位置特定部１０８ｃ）と、前記注目位置特定手段により特定された前記空間的な注目位置を示す注目位置情報と、前記コンテンツを示すコンテンツ情報と、を対応付けて、時間的に異なるタイミング或いは空間的に異なる位置で視認可能に出力する出力手段（出力部１０８ｄ）と、を備える。【選択図】図２
2017228197.tif 000002
【特許請求の範囲】
【請求項１】
コンテンツを表示している表示手段に対するユーザの視線の対象となる、逐次変化する空間的な視線位置である視線位置情報に基づき、前記コンテンツに対するユーザの空間的な注目位置を特定する注目位置特定手段と、
前記注目位置特定手段により特定された前記空間的な注目位置を示す注目位置情報と、前記コンテンツを示すコンテンツ情報と、を対応付けて、時間的に異なるタイミング或いは空間的に異なる位置で視認可能に出力する出力手段と、
を備えることを特徴とする出力装置。
【請求項２】
前記注目位置特定手段は、前記ユーザの逐次変化する視線位置の対象となる空間的な視線位置を逐次特定し、その逐次特定された空間的な視線位置の各々を複数の領域に区分けしたときの、各領域に属する空間的な視線位置の度数を使用して前記空間的な注目位置を特定することを特徴とする請求項１に記載の出力装置。
【請求項３】
前記出力手段により出力された前記コンテンツ情報に基づき、前記ユーザとしての第１のユーザとは時間的或いは空間的に異なる第２のユーザが視認する表示手段に前記コンテンツが表示された際に、当該コンテンツ情報とともに出力された前記注目位置情報に基づき、前記空間的な注目位置を、当該表示手段に識別可能に表示させる表示制御手段を更に備えることを特徴とする請求項１又は２に記載の出力装置。
【請求項４】
前記コンテンツは動画コンテンツであって、
前記動画コンテンツの時間的な注目位置を特定する注目時間特定手段を更に備え、
前記出力手段は、前記注目時間特定手段により特定された前記時間的な注目位置を示す注目時間情報を、前記コンテンツ情報及び前記注目位置情報と対応付けて出力し、
前記表示制御手段は、前記出力手段により出力された前記コンテンツ情報に基づき、前記第２のユーザが視認する表示手段に前記動画コンテンツが再生表示された際に、当該コンテンツ情報とともに出力された前記注目時間情報に基づく前記時間的な注目位置と、前記注目位置情報に基づく前記空間的な注目位置と、を共通の指標により当該表示手段に識別可能に表示させることを特徴とする請求項３に記載の出力装置。
【請求項５】
前記出力手段は、更に前記視線位置情報を出力し、
前記出力手段により出力された前記視線位置情報に基づき、前記空間的な視線位置と、前記指標の表示位置と、が一致するか否かを判別する判別手段を更に備え、
前記表示制御手段は、前記判別手段により、前記空間的な視線位置と、前記指標の表示位置と、が一致すると判別された場合には、当該指標の表示態様を変化させることを特徴とする請求項４に記載の出力装置。
【請求項６】
前記注目位置特定手段は、前記視線位置情報及び前記注目時間情報に基づき、前記第１のユーザの注目度を更に特定し、
前記表示制御手段は、前記第２のユーザが視認する表示手段に前記動画コンテンツが再生表示された際に、前記注目位置特定手段により特定された前記第１のユーザの注目度を加味して、前記時間的な注目位置と、前記空間的な注目位置と、を共通の指標により当該表示手段に識別可能に表示させることを特徴とする請求項４又は５に記載の出力装置。
【請求項７】
前記出力手段は、出力対象となる所定の情報を外部装置又は記憶手段に出力することを特徴とする請求項１〜６の何れか一項に記載の出力装置。
【請求項８】
コンテンツを表示している表示手段に対するユーザの視線の対象となる、逐次変化する空間的な視線位置である視線位置情報に基づき、前記コンテンツに対するユーザの空間的な注目位置を特定する処理と、
特定された前記空間的な注目位置を示す注目位置情報と、前記コンテンツを示すコンテンツ情報と、を対応付けて、時間的に異なるタイミング或いは空間的に異なる位置で視認可能に出力する処理と、
を含むことを特徴とする出力方法。
【請求項９】
コンピュータに、
コンテンツを表示している表示手段に対するユーザの視線の対象となる、逐次変化する空間的な視線位置である視線位置情報に基づき、前記コンテンツに対するユーザの空間的な注目位置を特定する注目位置特定機能、
前記注目位置特定機能により特定された前記空間的な注目位置を示す注目位置情報と、前記コンテンツを示すコンテンツ情報と、を対応付けて、時間的に異なるタイミング或いは空間的に異なる位置で視認可能に出力する出力機能、
を実現させることを特徴とするプログラム。
【発明の詳細な説明】
【技術分野】
【０００１】
本発明は、出力装置、出力方法及びプログラムに関する。
【背景技術】
【０００２】
近年、画像や音楽といったコンテンツを複数の装置やユーザ間で共有したいというニーズが高まっている。そこで、例えば、画像内における視線位置を他者に伝えるために、撮影者が視線を移動させながら被写体を見ていた時間経過の通りにリフォーカスされた画像を再構成してリフォーカス動画を生成する技術が提案されている（例えば、特許文献１参照）。
【先行技術文献】
【特許文献】
【０００３】
【特許文献１】特開２０１４−１７９８７０号公報
【発明の概要】
【発明が解決しようとする課題】
【０００４】
しかしながら、上記特許文献１に開示されている技術は、画像（コンテンツ）内において撮影者が何に注目したかを伝えるだけなので、この注目した位置の画像全体に対する相対的な関係を把握させることができないという問題がある。
【０００５】
本発明は、このような問題に鑑みてなされたものであり、ユーザが注目したコンテンツ内の位置とコンテンツ全体との相対的な関係を把握させることを目的とする。
【課題を解決するための手段】
【０００６】
上記課題を解決するため、本発明に係る出力装置は、
コンテンツを表示している表示手段に対するユーザの視線の対象となる、逐次変化する空間的な視線位置である視線位置情報に基づき、前記コンテンツに対するユーザの空間的な注目位置を特定する注目位置特定手段と、
前記注目位置特定手段により特定された前記空間的な注目位置を示す注目位置情報と、前記コンテンツを示すコンテンツ情報と、を対応付けて、時間的に異なるタイミング或いは空間的に異なる位置で視認可能に出力する出力手段と、
を備えることを特徴とする。
【発明の効果】
【０００７】
本発明によれば、ユーザが注目したコンテンツ内の位置とコンテンツ全体との相対的な関係を把握させることができる。
【図面の簡単な説明】
【０００８】
【図１】本発明を適用した実施形態のコンテンツ共有システムの概略構成を示す図である。
【図２】図１のコンテンツ共有システムを構成する端末装置の概略構成を示すブロック図である。
【図３】（ａ）は、注目度「大」を示すアイコンの表示の一例を示す図であり、（ｂ）は、注目度「中」を示すアイコンの表示の一例を示す図である。
【図４】（ａ）は、透過率を「高」に設定したときのアイコンの表示の一例を示す図であり、（ｂ）は、透過率を「中」に設定したときのアイコンの表示の一例を示す図であり、（ｃ）は、透過率を「低」に設定したときのアイコンの表示の一例を示す図である。
【図５】図２の端末装置による出力処理に係る動作の一例を示すフローチャートである。
【図６】図２の端末装置による注目位置表示制御処理に係る動作の一例を示すフローチャートである。
【発明を実施するための形態】
【０００９】
以下に、本発明について、図面を用いて具体的な態様を説明する。ただし、発明の範囲は、図示例に限定されない。
【００１０】
図１は、本発明を適用した実施形態のコンテンツ共有システム１００の概略構成を示すブロック図である。
図１に示すように、本実施形態のコンテンツ共有システム１００は、通信ネットワークＮを介して通信可能な複数の端末装置１、…（図１には、４つの端末装置１Ａ〜１Ｄを図示）を備えている。
【００１１】
複数の端末装置１、…は、例えば、スマートフォン、タブレット、ＰＤＡ（Personal Data Assistants）等から構成されているが、通信機能を具備するものであれば如何なるものであっても良い。また、複数の端末装置１、…は、必ずしも全ての端末装置１が同一である必要はない。
なお、複数の端末装置１、…は、構成及び動作は略同様であるため、以下に、代表して端末装置１Ａを例示して説明する。
【００１２】
図２は、端末装置１Ａの概略構成を示すブロック図である。
図２に示すように、端末装置１Ａは、具体的には、中央制御部１０１と、メモリ１０２と、記録部１０３と、表示部１０４と、操作入力部１０５と、視線検出用カメラ１０６と、通信制御部１０７と、動作処理部１０８とを備えている。
また、中央制御部１０１、メモリ１０２、記録部１０３、表示部１０４、操作入力部１０５、視線検出用カメラ１０６、通信制御部１０７及び動作処理部１０８は、バスライン１０９を介して接続されている。
【００１３】
中央制御部１０１は、端末装置１Ａの各部を制御するものである。具体的には、中央制御部１０１は、図示は省略するが、ＣＰＵ（Central Processing Unit）等を備え、端末装置１Ａ用の各種処理プログラム（図示略）に従って各種の制御動作を行う。
【００１４】
メモリ１０２は、例えば、ＤＲＡＭ（Dynamic Random Access Memory）等により構成され、中央制御部１０１、動作処理部１０８等によって処理されるデータ等を一時的に格納する。
【００１５】
記録部１０３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。なお、記録部１０３は、例えば、記録媒体（図示略）が着脱自在に構成され、装着された記録媒体からのデータの読み出しや記録媒体に対するデータの書き込みを制御する構成であっても良い。
【００１６】
表示部１０４は、表示パネル１０４ａの表示領域に画像を表示する。
すなわち、表示部（表示手段）１０４は、図示しない画像処理部により復号された所定サイズの画像データに基づいて、動画像、静止画像やアプリケーション画面等のコンテンツを表示パネル１０４ａの表示領域に表示する。
【００１７】
なお、表示部１０４は、通信ネットワークＮに接続されている所定のサーバ装置（図示略）から通信制御部１０７を介して画像データを取得して、表示パネル１０４ａの表示領域に表示する構成であっても良い。
また、表示パネル１０４ａは、例えば、液晶表示パネルや有機ＥＬ（Electro-Luminescence）表示パネル等から構成されているが、一例であってこれらに限られるものではない。
【００１８】
操作入力部１０５は、当該端末装置１Ａの所定操作を行うためのものである。具体的には、操作入力部１０５は、電源のＯＮ／ＯＦＦ操作に係る電源ボタン、各種のモードや機能等の選択指示に係るボタン等（何れも図示略）を備えている。
そして、ユーザにより各種ボタンが操作されると、操作入力部１０５は、操作されたボタンに応じた操作指示を中央制御部１０１に出力する。中央制御部１０１は、操作入力部１０５から出力され入力された操作指示に従って所定の動作（例えば、動画像の再生等）を各部に実行させる。
【００１９】
また、操作入力部１０５は、表示部１０４の表示パネル１０４ａと一体となって設けられたタッチパネル１０５ａを有している。
タッチパネル１０５ａは、表示パネル１０４ａの表示領域をなす表示画面に直接的若しくは間接的に接触するユーザの指（手）やタッチペン等の接触位置を検出する。すなわち、タッチパネル１０５ａは、例えば、表示パネル１０４ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル１０５ａは、接触位置のＸＹ座標に係る位置信号を動作処理部１０８に出力する。
【００２０】
視線検出用カメラ１０６は、表示部１０４を見るユーザの視線（目の動き）を検出するためのものであり、ユーザの顔に対向するように設けられている。この視線検出用カメラ１０６は、ユーザの目の動きを撮影し、その画像情報を動作処理部１０８に出力する。
なお、視線検出用カメラ１０６は、表示部１０４と一体的に構成されていてもよい。
【００２１】
通信制御部１０７は、通信アンテナ１０７ａ及び通信ネットワークＮを介してデータの送受信を行う。
すなわち、通信アンテナ１０７ａは、当該端末装置１Ａが無線基地局（図示略）との通信で採用している所定の通信方式（例えば、Ｗ−ＣＤＭＡ（Wideband Code Division Multiple Access）方式、ＣＤＭＡ２０００方式、ＧＳＭ（Global System for Mobile Communications；登録商標）方式等）に対応したデータの送受信が可能なアンテナである。そして、通信制御部１０７は、所定の通信方式に対応する通信プロトコルに従って、この通信方式で設定される通信チャネルにより無線基地局との間で通信アンテナ１０７ａを介してデータの送受信を行う。
【００２２】
通信ネットワークＮは、例えば、端末装置１Ａを無線基地局やゲートウェイサーバ（図示略）等を介して他の端末装置１Ｂ〜１Ｄ等の外部装置と接続する通信ネットワークである。また、通信ネットワークＮは、専用線や既存の一般公衆回線を利用して構築された通信ネットワークであり、ＷＡＮ（Wide Area Network）やＬＡＮ（Local Area Network）等の様々な回線形態を適用することが可能である。
【００２３】
なお、上記した通信制御部１０７の構成は、一例であってこれに限られるものではなく、適宜任意に変更可能であり、例えば、図示は省略するが、無線ＬＡＮモジュールやBluetooth（登録商標）モジュールを搭載しても良い。
すなわち、無線ＬＡＮモジュールは、アクセスポイント（図示略）を介して通信ネットワークＮにアクセス可能な構成としても良いし、アクセスポイントを経由せずに直接他の端末装置１Ｂ〜１Ｄ等の外部装置との間で無線通信回線を構築するPeer to Peer（アドホックモード）で動作しても良い。また、Bluetoothモジュールは、Bluetoothの通信規格に基づいて、他の端末装置１Ｂ〜１Ｄ等の外部装置との間で同期通信方式の無線通信を行っても良い。
【００２４】
動作処理部１０８は、視線位置特定部１０８ａと、注目時間特定部１０８ｂと、注目位置特定部１０８ｃと、出力部１０８ｄと、注目位置表示制御部１０８ｅと、判別部１０８ｆとを具備している。
なお、動作処理部１０８の各部は、例えば、所定のロジック回路から構成されているが、当該構成は一例であってこれに限られるものではない。
【００２５】
視線位置特定部１０８ａは、ユーザの視線の対象となる空間的な視線位置（視線の先）を逐次特定する。
すなわち、視線位置特定部１０８ａは、動画像（コンテンツ）を再生表示している表示部１０４に対するユーザ（以下、第１のユーザという）の視線の対象となる空間的な視線位置を逐次特定する。
具体的には、視線位置特定部１０８ａは、第１のユーザ所望の動画像が表示部１０４に再生表示されている際に、視線検出用カメラ１０６より出力された第１のユーザの目の動きに関する画像情報を取得する。そして、視線位置特定部１０８ａは、取得した画像情報に基づき視線検出処理を行い、所定の周期（例えば、１０回／秒（動画像の再生フレームレートが３０ｆｐｓの場合は３フレーム毎））で第１のユーザの視線の先となる表示部１０４の表示画面上の位置座標を取得する。なお、視線検出処理は公知の技術を使用することで実現可能であるため、詳細な説明は省略する。
【００２６】
そして、視線位置特定部１０８ａは、取得した各位置座標が動画像を構成するフレーム画像内のどの領域に含まれるかを特定する。ここで、領域とは、図３（ａ）に示すように、フレーム画像Ｆを６４分割（縦８×横８）した各領域（以下、小領域という）を意味する。このようにフレーム画像Ｆを基準として小領域を設定しているのは、各端末装置１、…によって表示部のサイズ（アスペクト比）がそれぞれ異なることを考慮したものである。
【００２７】
そして、視線位置特定部１０８ａは、逐次特定された小領域の番号をメモリ１０２に一時的に格納する。各小領域は、図３（ａ）に示すように、０〜６３の数字でナンバリングされており、視線位置特定部１０８ａは、例えば、「３２」、「３７」、「４１」、「４２」、・・・というように小領域の番号を時系列に沿ってメモリ１０２に一時的に格納する。これらの小領域の番号は、所定の周期ごとに特定されたものであり、当該小領域の番号が特定された際の順番から動画像の再生時間を特定することができるようになっている。つまり、所定の周期が、例えば、１０回／秒の周期である場合、小領域の番号が特定された際の順番を示す値に０．１（秒）を乗じて得られた値が動画像の再生時間（秒）となる。具体的には、小領域の番号が特定された際の順番が先頭から５番目の場合、当該小領域の番号が特定されたときの動画像の再生時間は０．５秒となる。
【００２８】
注目時間特定部１０８ｂは、表示部１０４で再生表示される動画像の時間的な注目位置を特定する。
すなわち、注目時間特定部（注目時間特定手段）１０８ｂは、動画像の総再生時間のうち、第１のユーザが注目する時間（注目時間）を特定する。
具体的には、注目時間特定部１０８ｂは、表示部１０４に動画像が再生表示されている際に、例えば、第１のユーザによるタッチパネル１０５ａの所定操作に基づき、第１のユーザが注目し始めた注目開始タイミングと注目を止めた注目終了タイミングとが指定された場合、この注目開始タイミングから注目終了タイミングまでの時間を、第１のユーザが注目する時間（注目時間）として特定する。なお、注目時間は１箇所に限らず複数箇所あってもよい。
【００２９】
注目位置特定部１０８ｃは、表示部１０４に再生表示された動画像に対する第１のユーザの空間的な注目位置を特定する。
すなわち、注目位置特定部（注目位置特定手段）１０８ｃは、動画像を再生表示している表示部１０４に対する第１のユーザの視線の対象となる、逐次変化する空間的な視線位置である視線位置情報に基づき、表示部１０４に再生表示された動画像に対する第１のユーザの空間的な注目位置を特定する。
具体的には、注目位置特定部１０８ｃは、メモリ１０２に一時的に格納されている各小領域の番号のうち、注目時間特定部１０８ｂにより特定された注目時間に含まれる各小領域の番号だけを対象とし、図３（ａ）に示すように、当該各小領域の番号がフレーム画像Ｆ内の４分割された大領域０〜３のどの領域に属するか区分けする。図３（ａ）に示すように、大領域０とは、小領域０〜１５で構成される領域である。また、大領域１は、小領域１６〜３１で構成される領域である。また、大領域２は、小領域３２〜４７で構成される領域である。また、大領域３は、小領域４８〜６３で構成される領域である。
なお、図３（ａ）（ｂ）の図中の矢印は、第１のユーザの視線の移動を明示的に表したものである。
【００３０】
そして、注目位置特定部１０８ｃは、大領域０〜３ごとに、区分けされた小領域の番号の数を算出し、上述の注目時間に含まれる各小領域の番号の数全体に対する割合をそれぞれ算出する。そして、注目位置特定部１０８ｃは、上記割合が７０％以上の大領域を注目度「大」の注目位置として特定する。また、上記割合が２０％以上、７０％未満の大領域を注目度「中」の注目位置として特定する。また、上記割合が２０％未満の大領域を注目度「小」の注目位置として特定する。
【００３１】
出力部１０８ｄは、注目時間情報、注目位置情報、及び視線位置情報を出力する。
すなわち、出力部（出力手段）１０８ｄは、表示部１０４に再生表示された動画像に係るコンテンツ情報を出力する際に、当該コンテンツ情報と対応付けて、当該コンテンツ情報に対応した注目時間情報、注目位置情報、及び視線位置情報を出力する。また、出力部１０８ｄは、上記コンテンツ情報等を、時間的に異なるタイミング或いは空間的に異なる位置で視認可能に出力する。
具体的には、第１のユーザによるタッチパネル１０５ａの所定操作に基づき、所望のコンテンツ情報が指定されるとともに、当該コンテンツ情報の出力指示がなされた場合、出力部１０８ｄは、当該コンテンツ情報、当該コンテンツ情報に対応した注目時間情報、注目位置情報、及び視線位置情報をファイル化して、出力先である、例えば、他の端末装置１Ｂに対して、通信ネットワークＮ及び通信制御部１０７を介して出力する。なお、出力先は、他の端末装置１Ｂ〜１Ｄに限らず、自装置の記録部（記憶手段）１０３であってもよい。
【００３２】
注目位置表示制御部１０８ｅは、第１のユーザが視認した動画像に対する当該第１のユーザの空間的な注目位置を表示部１０４に識別可能に表示させる。
すなわち、注目位置表示制御部（表示制御手段）１０８ｅは、第１のユーザとは時間的或いは空間的に異なる第２のユーザが視認する表示部１０４に、当該第１のユーザが視認した動画像が再生表示された際に、当該第１のユーザの空間的な注目位置を識別可能に表示させる。
具体的には、例えば、他の端末装置１Ｂから通信ネットワークＮ及び通信制御部１０７を介して、上述したコンテンツ情報、当該コンテンツ情報に対応した注目時間情報、注目位置情報、及び視線位置情報を受信した場合、注目位置表示制御部１０８ｅは、第２のユーザによるタッチパネル１０５ａの所定操作に基づき、受信したコンテンツ情報に基づく動画像を表示部１０４に再生表示させる。そして、注目位置表示制御部１０８ｅは、受信した注目時間情報に基づき、動画像の再生時間が第１のユーザの時間的な注目位置（注目時間）に達したか否かを判定する。そして、第１のユーザの時間的な注目位置（注目時間）に達したと判定された場合、注目位置表示制御部１０８ｅは、受信した注目位置情報に基づき、第１のユーザの時間的かつ空間的な注目位置であることを示すアイコン（指標）Ｉａ，Ｉｂを表示部１０４上の所定の領域に表示させる。例えば、図３（ａ）に示すように、第１のユーザの空間的な注目位置が大領域２であり、注目度「大」であると特定されている場合、注目位置表示制御部１０８ｅは、大領域２のうちの小領域３５の領域に、注目度「大」であることを示すアイコンＩａを表示させる。また、図３（ｂ）に示すように、第１のユーザの空間的な注目位置が大領域２と大領域３であり、それぞれ注目度「中」であると特定されている場合、注目位置表示制御部１０８ｅは、大領域２のうちの小領域３５、及び、大領域３のうちの小領域６３の各々の領域に、注目度「中」であることを示すアイコンＩｂを表示させる。ここで、図示は省略するが、第１のユーザの空間的な注目位置が大領域０であると特定されている場合は、この大領域０のうちの小領域０にアイコンＩａ，Ｉｂが表示されるようになっている。また、第１のユーザの空間的な注目位置が大領域１であると特定されている場合は、この大領域１のうちの小領域２８にアイコンＩａ，Ｉｂが表示されるようになっている。また、注目度「小」であると特定されている大領域には、アイコンが表示されないようになっている。
なお、アイコンＩａ、Ｉｂの表示は、例えば、ＯＳＤ（on-screen display）表示により行われるが、一例であってこれに限られるものではなく、適宜任意に変更可能である。
【００３３】
そして、注目位置表示制御部１０８ｅは、受信した注目時間情報に基づき、第１のユーザの時間的な注目位置（注目時間）が終了したか否かを判定する。そして、第１のユーザの時間的な注目位置（注目時間）が終了していないと判定された場合、注目位置表示制御部１０８ｅは、引き続きアイコンＩａ，Ｉｂを表示部１０４上の所定の領域に表示させる。一方、第１のユーザの時間的な注目位置（注目時間）が終了したと判定された場合、注目位置表示制御部１０８ｅは、アイコンＩａ，Ｉｂの表示を終了する。
【００３４】
判別部（判別手段）１０８ｆは、第１のユーザが視認した動画像に対する空間的な視線位置と、上述したアイコンＩａ，Ｉｂの表示位置と、が一致するか否かを判別する。また、判別部１０８ｆは、上記空間的な視線位置が、アイコンＩａ，Ｉｂの表示位置の近傍であるか否かを判別する。
具体的には、例えば、他の端末装置１Ｂから受信した注目時間情報及び視線位置情報に基づき、第１のユーザの空間的な視線位置に対応した各小領域の番号のうち、第１のユーザの注目時間に含まれる各小領域の番号だけを抽出し、メモリ１０２に一時的に格納する。そして、注目位置表示制御部１０８ｅによって、動画像の再生時間が第１のユーザの時間的な注目位置（注目時間）に達したと判定されてから、第１のユーザの時間的な注目位置（注目時間）が終了したと判定されるまでの期間、すなわち、注目位置表示制御部１０８ｅによって、アイコンＩａ，Ｉｂを表示部１０４上に表示させる期間において、判別部１０８ｆは、第１のユーザの注目時間に含まれる各小領域の番号をメモリ１０２から逐次読み出す。そして、判別部１０８ｆは、逐次読み出された小領域の番号と、アイコンＩａ，Ｉｂが表示される小領域の番号と、が一致するか否かを判別する。ここで、アイコンＩａ，Ｉｂが表示される小領域の番号は、「０」、「２８」、「３５」、「６３」の何れかである。
【００３５】
そして、逐次読み出された小領域の番号と、アイコンＩａ，Ｉｂが表示される小領域の番号と、が一致すると判別された場合、注目位置表示制御部１０８ｅは、その小領域の番号に対応する再生時間において表示されるアイコンＩａ，Ｉｂの透過率を「高」に設定し、アイコンＩａ，Ｉｂを表示させる。例えば、図４（ａ）に示すように、第１のユーザの視線の先を示す小領域の番号（読み出された小領域の番号）が３５で、アイコンＩａが表示される小領域の番号も３５である場合は、透過率を「高」に設定して、アイコンＩａを表示させることで、表示されたアイコンＩａ越しであっても動画像を視認し易くしている。
一方、逐次読み出された小領域の番号と、アイコンＩａ，Ｉｂが表示される小領域の番号と、が一致しないと判別された場合、判別部１０８ｆは、逐次読み出された小領域の番号が、アイコンＩａ，Ｉｂが表示される小領域の番号と隣接する番号であるか否かを判別する。ここで、アイコンＩａ，Ｉｂが表示される小領域の番号が「０」の場合、隣接する小領域の番号は、「１」、「４」、及び「５」である。また、アイコンＩａ，Ｉｂが表示される小領域の番号が「２８」の場合、隣接する小領域の番号は、「２４」、「２５」、及び「２９」である。また、アイコンＩａ，Ｉｂが表示される小領域の番号が「３５」の場合、隣接する小領域の番号は、「３４」、「３８」、及び「３９」である。また、アイコンＩａ，Ｉｂが表示される小領域の番号が「６３」の場合、隣接する小領域の番号は、「５８」、「５９」、及び「６２」である。
【００３６】
そして、逐次読み出された小領域の番号が、アイコンＩａ，Ｉｂが表示される小領域の番号と隣接する番号であると判別された場合、注目位置表示制御部１０８ｅは、その小領域の番号に対応する再生時間において表示されるアイコンＩａ，Ｉｂの透過率を「中」に設定し、アイコンＩａ，Ｉｂを表示させる。例えば、図４（ｂ）に示すように、第１のユーザの視線の先を示す小領域の番号（読み出された小領域の番号）が３４で、アイコンＩａが表示される小領域の番号が３５である場合は、透過率を「中」に設定して、アイコンＩａを表示させることで、表示されたアイコンＩａ越しに動画像を視認することができるようになっているが、透過率が「高」に設定されているときに比べると、アイコンＩａの視認のし易さを優先するようにしている。
一方、逐次読み出された小領域の番号が、アイコンＩａ，Ｉｂが表示される小領域の番号と隣接する番号でないと判別された場合、注目位置表示制御部１０８ｅは、その小領域の番号に対応する再生時間において表示されるアイコンＩａ，Ｉｂの透過率を「低」に設定し、アイコンＩａ，Ｉｂを表示させる。例えば、図４（ｃ）に示すように、第１のユーザの視線の先を示す小領域の番号（読み出された小領域の番号）が３７で、アイコンＩａが表示される小領域の番号が３５である場合は、透過率を「低」に設定して、アイコンＩａを表示させることで、表示されたアイコンＩａ越しに動画像のコンテンツを視認することができるようになっているが、透過率が「中」に設定されているときに比べると、更にアイコンＩａの視認のし易さを優先するようにしている。
【００３７】
＜出力処理＞
次に、端末装置１Ａによる出力処理について、図５を参照して説明する。図５は、出力処理に係る動作の一例を示すフローチャートである。
【００３８】
図５に示すように、先ず、記録部１０３に記録されている動画像のうち、第１のユーザによる操作入力部１０５の所定操作に基づいて再生表示の対象となる動画像が指定されると（ステップＳ１）、表示部１０４は、指定された動画像を記録部１０３から読み出して、図示しない画像処理部により復号された動画像を構成する複数のフレーム画像を所定の再生フレームレート（例えば、３０ｆｐｓ等）で表示パネル１０４ａに表示させる（ステップＳ２）。
【００３９】
次いで、視線位置特定部１０８ａは、指定された動画像を構成する複数のフレーム画像が表示パネル１０４ａに再生表示されている際に、第１のユーザの視線の対象となる空間的な視線位置を逐次特定する（ステップＳ３）。具体的には、視線位置特定部１０８ａは、上述したように、視線検出用カメラ１０６より出力された第１のユーザの目の動きに関する画像情報を所定の周期（例えば、１０回／秒）で取得する。そして、視線位置特定部１０８ａは、取得した各画像情報に基づき、第１のユーザの視線の先となる表示パネル１０４ａ上の位置座標を取得する。そして、視線位置特定部１０８ａは、図３（ａ）に示すように、取得した各位置座標が動画像を構成するフレーム画像Ｆ内のどの領域（小領域）に含まれるかを特定する。そして、視線位置特定部１０８ａは、逐次特定された小領域の番号をメモリ１０２に一時的に格納する。
【００４０】
次いで、注目時間特定部１０８ｂは、第１のユーザによるタッチパネル１０５ａの所定操作に基づき、注目開始時間（注目開始タイミング）が指定されたか否かを判定する（ステップＳ４）。
ステップＳ４において、注目開始時間が指定されていないと判定された場合（ステップＳ４；ＮＯ）は、ステップＳ９に移行する。
一方、ステップＳ４において、注目開始時間が指定されたと判定された場合（ステップＳ４；ＹＥＳ）、注目時間特定部１０８ｂは、この注目開始時間を示すデータをメモリ１０２に一時的に格納する（ステップＳ５）。
【００４１】
次いで、注目時間特定部１０８ｂは、第１のユーザによるタッチパネル１０５ａの所定操作に基づき、注目終了時間（注目終了タイミング）が指定されたか否かを判定する（ステップＳ６）。
ステップＳ６において、注目終了時間が指定されていないと判定された場合（ステップＳ６；ＮＯ）は、当該注目時間の指定がなされるまで、ステップＳ６の判定処理を行う。
一方、ステップＳ６において、注目終了時間が指定されたと判定された場合（ステップＳ６；ＹＥＳ）、注目時間特定部１０８ｂは、メモリ１０２に一時的に格納されている注目開始時間を示すデータを読み出し、この注目開始時間から注目終了時間までの時間を注目時間として特定する（ステップＳ７）。
【００４２】
次いで、注目位置特定部１０８ｃは、再生表示されている動画像に対する第１のユーザの空間的な注目位置及び注目度を特定する（ステップＳ８）。具体的には、注目位置特定部１０８ｃは、上述したように、メモリ１０２に一時的に格納されている各小領域の番号のうち、ステップＳ７で特定された注目時間に含まれる各小領域の番号だけを対象とし、当該各小領域の番号がフレーム画像内の４分割された大領域０〜３のどの領域に属するか区分けする。そして、注目位置特定部１０８ｃは、大領域０〜３ごとに、区分けされた小領域の番号の数を算出し、注目時間に含まれる各小領域の番号の数全体に対する割合を算出する。そして、注目位置特定部１０８ｃは、上記割合が７０％以上の大領域を注目度「大」の注目位置として特定する。また、上記割合が２０％以上、７０％未満の大領域を注目度「中」の注目位置として特定する。また、上記割合が２０％未満の大領域を注目度「小」の注目位置として特定する。
【００４３】
次いで、中央制御部１０１は、動画像の再生表示が終了したか否かを判定する（ステップＳ９）。
ステップＳ９において、動画像の再生表示が終了していないと判定された場合（ステップＳ９；ＮＯ）は、ステップＳ４に移行し、ステップＳ４〜Ｓ９の処理を繰り返す。
一方、ステップＳ９において、動画像の再生表示が終了したと判定された場合（ステップＳ９；ＹＥＳ）、中央制御部１０１は、動画像の再生中に第１のユーザが注目する注目時間があったか否かを判定する（ステップＳ１０）。
【００４４】
ステップＳ１０において、第１のユーザが注目する注目時間があったと判定された場合（ステップＳ１０；ＹＥＳ）、出力部１０８ｄは、第１のユーザのタッチパネル１０５ａの所定操作に基づき、再生表示された動画像のコンテンツ情報の出力指示がなされたことを契機として、当該コンテンツ情報、当該コンテンツ情報に対応した注目時間情報（ステップＳ７で特定された注目時間を示す情報）、注目位置情報（ステップＳ８で特定された注目位置及び注目度を示す情報）、及び視線位置情報（ステップＳ３で逐次特定された視線位置を示す情報）をファイル化して、出力先に対して、通信ネットワークＮ及び通信制御部１０７を介して出力し（ステップＳ１１）、出力処理を終了する。
一方、ステップＳ１０において、第１のユーザが注目する注目時間が無かったと判定された場合（ステップＳ１０；Ｎｏ）、出力処理を終了する。
【００４５】
＜注目位置表示制御処理＞
次に、端末装置１Ａによる注目位置表示制御処理について、図６を参照して説明する。端末装置１Ａによる注目位置表示制御処理は、他の端末装置１Ｂ〜１Ｄによって上記出力処理が実行された際に出力されたコンテンツ情報等が出力先である端末装置１Ａにおいて受信されたことを契機として実行される処理、又は、自装置（端末装置１Ａ）の記録部１０３から上記コンテンツ情報等を読み出したことを契機として実行される処理である。図６は、注目位置表示制御処理に係る動作の一例を示すフローチャートである。
【００４６】
図６に示すように、先ず、第２のユーザ（第１のユーザとは時間的又は空間的に異なるユーザ）による操作入力部１０５の所定操作に基づいて、通信ネットワークＮ及び通信制御部１０７を介して受信、又は、記録部１０３から読み出したコンテンツ情報に係る動画像の再生表示の開始指示がなされると、表示部１０４は、図示しない画像処理部により復号された動画像を構成する複数のフレーム画像を所定の再生フレームレート（例えば、３０ｆｐｓ等）で表示パネル１０４ａに表示させる（ステップＳ２１）。
【００４７】
次いで、注目位置表示制御部１０８ｅは、再生表示されている動画像の再生時間が注目開始時間に達したか否かを判定する（ステップＳ２２）。
ステップＳ２２において、注目開始時間に達していないと判定された場合（ステップＳ２２；ＮＯ）は、ステップＳ２５に移行する。
一方、ステップＳ２２において、注目開始時間に達したと判定された場合（ステップＳ２２；ＹＥＳ）、注目位置表示制御部１０８ｅは、通信ネットワークＮ及び通信制御部１０７を介して受信、又は、記録部１０３から読み出した注目位置情報に基づき、アイコンＩａ，Ｉｂを生成し、表示部１０４の第１のユーザの空間的な注目位置に対応する位置に当該アイコンＩａ，Ｉｂを表示させる（ステップＳ２３）。
【００４８】
また、注目位置表示制御部１０８ｅによってアイコンＩａ，Ｉｂを生成し、表示部１０４に表示させる際に、判別部１０８ｆは、上述したように、第１のユーザの注目時間に含まれる各小領域の番号をメモリ１０２から逐次読み出す。そして、判別部１０８ｆは、逐次読み出された小領域の番号と、アイコンＩａ，Ｉｂが表示される小領域の番号と、が一致するか否かを判別する。そして、逐次読み出された小領域の番号と、アイコンＩａ，Ｉｂが表示される小領域の番号と、が一致すると判別された場合、注目位置表示制御部１０８ｅは、その小領域の番号に対応する再生時間において表示されるアイコンＩａ，Ｉｂの透過率を「高」に設定し、アイコンＩａ，Ｉｂを表示させる（図４（ａ）参照）。一方、逐次読み出された小領域の番号と、アイコンＩａ，Ｉｂが表示される小領域の番号と、が一致しないと判別された場合、判別部１０８ｆは、逐次読み出された小領域の番号が、アイコンＩａ，Ｉｂが表示される小領域の番号と隣接する番号であるか否かを判別する。そして、逐次読み出された小領域の番号が、アイコンＩａ，Ｉｂが表示される小領域の番号と隣接する番号であると判別された場合、注目位置表示制御部１０８ｅは、その小領域の番号に対応する再生時間において表示されるアイコンＩａ，Ｉｂの透過率を「中」に設定し、アイコンＩａ，Ｉｂを表示させる（図４（ｂ）参照）。一方、逐次読み出された小領域の番号が、アイコンＩａ，Ｉｂが表示される小領域の番号と隣接する番号でないと判別された場合、注目位置表示制御部１０８ｅは、その小領域の番号に対応する再生時間において表示されるアイコンＩａ，Ｉｂの透過率を「低」に設定し、アイコンＩａ，Ｉｂを表示させる（図４（ｃ）参照）。
【００４９】
次いで、注目位置表示制御部１０８ｅは、再生表示されている動画像の再生時間が注目終了時間に達したか否かを判定する（ステップＳ２４）。
ステップＳ２４において、注目終了時間に達していないと判定された場合（ステップＳ２４；ＮＯ）は、ステップＳ２３に移行する。
一方、ステップＳ２４において、注目終了時間に達したと判定された場合（ステップＳ２４；ＹＥＳ）、中央制御部１０１は、動画像の再生表示が終了したか否かを判定する（ステップＳ２５）。
【００５０】
ステップＳ２５において、動画像の再生表示が終了していないと判定された場合（ステップＳ２５；ＮＯ）は、ステップＳ２２に移行し、ステップＳ２２〜Ｓ２５の処理を繰り返す。
一方、ステップＳ２５において、動画像の再生表示が終了したと判定された場合（ステップＳ２５；ＹＥＳ）は、注目位置表示制御処理を終了する。
【００５１】
以上のように、本実施形態の端末装置１は、コンテンツを表示している表示部１０４に対する第１のユーザの視線の対象となる、逐次変化する空間的な視線位置である視線位置情報に基づき、コンテンツに対する第１のユーザの空間的な注目位置を特定し、特定された空間的な注目位置を示す注目位置情報と、コンテンツを示すコンテンツ情報と、を対応付けて、時間的に異なるタイミング或いは空間的に異なる位置で視認可能に出力する。
【００５２】
このため、本実施形態の端末装置１にあっては、コンテンツに対する第１のユーザの空間的な注目位置を出力することによって、第１のユーザのコンテンツ内の注目位置とコンテンツ全体との相対的な関係を他のユーザに伝えることができ、当該関係を他のユーザに把握させることができるようになる。
【００５３】
また、本実施形態の端末装置１は、第１のユーザの逐次変化する視線位置の対象となる空間的な視線位置を逐次特定し、その逐次特定された空間的な視線位置の各々を複数の領域（大領域）に区分けしたときの、各領域に属する空間的な視線位置の度数を使用して空間的な注目位置を特定する。このため、本実施形態の端末装置１にあっては、第１のユーザのコンテンツ内の注目位置とコンテンツ全体との相対的な関係を適切に表すことができる。
【００５４】
また、本実施形態の端末装置１は、他の端末装置１より出力されたコンテンツ情報に基づき、第１のユーザとは時間的或いは空間的に異なる第２のユーザが視認する表示部１０４にコンテンツが表示された際に、当該コンテンツ情報とともに出力された注目位置情報に基づき、第１のユーザの空間的な注目位置を、当該表示部１０４に識別可能に表示させる。このため、本実施形態の端末装置１にあっては、表示部１０４にコンテンツが表示された際に、第１のユーザの空間的な注目位置を識別可能な表示を行うことにより、第２のユーザの視線を当該表示の方へ誘導することができるので、第１のユーザのコンテンツ内の注目位置とコンテンツ全体との相対的な関係を第２のユーザに把握させ易くすることができる。
【００５５】
また、本実施形態の端末装置１は、コンテンツ（動画像）の時間的な注目位置を特定し、特定された時間的な注目位置を示す注目時間情報を、コンテンツ情報及び注目位置情報と対応付けて出力する。そして、端末装置１は、他の端末装置１より出力されたコンテンツ情報に基づき、第２のユーザが視認する表示部１０４にコンテンツ（動画像）が再生表示された際に、当該コンテンツ情報とともに出力された注目時間情報に基づく時間的な注目位置と、注目位置情報に基づく空間的な注目位置と、を共通の指標（アイコンＩａ，Ｉｂ）により当該表示部１０４に識別可能に表示させる。このため、本実施形態の端末装置１にあっては、表示部１０４にコンテンツが表示された際に、上記共通の指標を表示させることにより、第２のユーザの視線を当該指標の方へ誘導することができるので、第１のユーザのコンテンツ内の時間的な注目位置と空間的な注目位置とを第２のユーザに効率よく把握させることができる。
【００５６】
また、本実施形態の端末装置１は、更に、逐次特定された空間的な視線位置を示す視線位置情報を出力する。そして、端末装置１は、他の端末装置１より出力された視線位置情報に基づき、空間的な視線位置と、上記指標（アイコンＩａ，Ｉｂ）の表示位置と、が一致するか否かを判別し、当該空間的な視線位置と、当該指標の表示位置と、が一致すると判別された場合には、当該指標を表示する際の透過率を高くする。つまり、コンテンツの再生表示中、第１のユーザの空間的な視線位置と、上記指標の表示位置と、が一致するタイミングでは、当該指標の透過率を高くする。このため、本実施形態の端末装置１にあっては、第２のユーザの視線を指標の方へ誘導した際に、第１のユーザの空間的な視線位置にあるコンテンツが見難くなってしまうことを抑制することができる。
【００５７】
また、本実施形態の端末装置１は、視線位置情報及び注目時間情報に基づき、第１のユーザの注目度を更に特定する。そして、端末装置１は、他の端末装置１より出力されたコンテンツ情報に基づき、第２のユーザが視認する表示部１０４にコンテンツ（動画像）が再生表示された際に、当該他の端末装置１により特定された第１のユーザの注目度を加味して、当該コンテンツ情報とともに出力された注目時間情報に基づく時間的な注目位置と、注目位置情報に基づく空間的な注目位置と、を共通の指標（アイコンＩａ，Ｉｂ）により当該表示部１０４に識別可能に表示させる。このため、本実施形態の端末装置１にあっては、表示部１０４にコンテンツが再生表示された際に、第１のユーザの注目度を加味して、上記共通の指標を表示させるので、第２のユーザの視線を注目度の高い指標の方へ誘導し易くすることができる。これにより、第１のユーザのコンテンツ内の時間的な注目位置と空間的な注目位置とを第２のユーザに更に効率よく把握させることができる。
【００５８】
また、本実施形態の端末装置１は、出力対象となる所定の情報、すなわち、コンテンツ情報、注目位置情報、注目時間情報、及び視線位置情報を外部装置である他の端末装置１又は記録部１０３に出力する。このため、本実施形態の端末装置１にあっては、他の端末装置１を使用するユーザ（第２のユーザ）、又は、端末装置１を第１のユーザと共有するユーザ（第２のユーザ）と、コンテンツに対する第１のユーザの注目位置を共有することができる。
【００５９】
なお、本発明は、上記実施形態に限定されることなく、本発明の趣旨を逸脱しない範囲において、種々の改良並びに設計の変更を行っても良い。
例えば、上記実施形態にあっては、動作処理部１０８が判別部１０８ｆを有する構成としたが、これに限定されるものではなく、処理負担軽減のため、動作処理部１０８が判別部１０８ｆを有しない構成としてもよい。つまり、第１のユーザの視線の先を示す小領域の番号と、アイコンＩａ，Ｉｂが表示される小領域の番号と、が一致する場合や隣接する場合であっても、透過率を設定することなく、常時のアイコンＩａ，Ｉｂを表示させるようにしてもよい。
【００６０】
また、上記実施形態にあっては、注目位置特定部１０８ｃは、注目度「大」「中」「小」を加味して、第１のユーザの空間的な注目位置を特定するようにしたが、これに限定されるものではない。例えば、注目位置特定部１０８ｃは、注目度「大」「中」「小」を加味することなく、大領域０〜３ごとに、区分けされた小領域の番号の数を算出し、単に当該小領域の番号の数が最も多い大領域を第１のユーザの空間的な注目位置として特定するようにしてもよい。
【００６１】
また、上記実施形態にあっては、注目時間特定部１０８ｂは、表示部１０４に動画像（コンテンツ）が再生表示されている際に、第１のユーザによるタッチパネル１０５ａの所定操作に基づき、第１のユーザが注目し始めた注目開始タイミングと注目を止めた注目終了タイミングとが指定された場合、この注目開始タイミングから注目終了タイミングまでの時間を、第１のユーザが注目する時間（注目時間）として特定するようにしたが、これに限定されるものではない。例えば、注目時間特定部１０８ｂは、メモリ１０２に一時的に格納されている各小領域の番号全てを対象とし、図３（ａ）に示すように、当該各小領域の番号がフレーム画像内の４分割された大領域０〜３のどの領域に属するか区分けする。そして、大領域０〜３ごとに、区分けされた小領域の番号の数を算出し、各小領域の番号の数全体に対する割合をそれぞれ算出する。そして、上記割合が７０％以上となる大領域に第１のユーザの空間的な視線位置が存在する時間を注目時間として特定するようにしてもよい。
【００６２】
また、上記実施形態にあっては、視線位置特定部１０８ａは、上述したように所定の周期（例えば、１０回／秒（動画像の再生フレームレートが３０ｆｐｓの場合は３フレーム毎））で第１のユーザの視線の先となる表示部１０４の表示画面上の位置座標を取得するようにしたが、当該位置座標を取得する周期は任意に設定可能である。また、取得した各位置座標が動画像を構成するフレーム画像内のどの領域に含まれるかを特定する際の領域（小領域）は、フレーム画像を６４分割（縦８×横８）したときの各領域としたが、当該領域の数も任意に設定可能である。
【００６３】
また、上記実施形態にあっては、図３（ａ）に示すように、フレーム画像Ｆを縦２×横２で４分割した各領域を大領域０〜３としたが、分割数は任意に設定可能である。フレーム画像Ｆが横長の場合は、フレーム画像Ｆのアスペクト比に応じて、例えば、縦２×横３のように横方向の分割数を多くするようにしてもよい。上記のようにフレーム画像を６分割（縦２×横３）した場合、左から２列目、すなわち中央の列の上側の大領域にアイコンＩａ，Ｉｂを表示するときは、当該大領域の上部中央にアイコンＩａ，Ｉｂを表示することが好ましい。一方、中央の列の下側の大領域にアイコンＩａ，Ｉｂを表示するときは、当該大領域の下部中央にアイコンＩａ，Ｉｂを表示することが好ましい。
【００６４】
また、上記実施形態にあっては、第１のユーザの注目度のランクを「大」「中」「小」の３ランクとしたが、これに限定されるものではなく、注目度のランクの数、当該ランクを分ける際の閾値は任意に設定可能である。
【００６５】
また、上記実施形態にあっては、注目位置表示制御部１０８ｅは、各大領域の隅（例えば、大領域０の場合は、小領域「０」の位置）にアイコンＩａ，Ｉｂを表示させるようにしたが、これに限定されるものではない。アイコンＩａ，Ｉｂの表示位置は、コンテンツの視聴を妨げない範囲であれば任意に設定可能である。また、第１のユーザの注目時間が複数ある場合、注目位置表示制御部１０８ｅは、それぞれの注目時間を識別可能な表示態様でアイコンを表示させるようにしてもよい。
【００６６】
また、上記実施形態にあっては、コンテンツとして動画像を一例に挙げたが、これに限定されるものではなく、当該コンテンツは静止画像であってもよい。なお、コンテンツが静止画像である場合、視線位置特定部１０８ａは、所定時間に亘って表示部１０４に静止画像を表示しているときの表示部１０４に対する第１のユーザの視線の対象となる空間的な視線位置を逐次特定するようにする。
【００６７】
また、上記実施形態にあっては、注目位置特定手段、出力手段としての機能を、中央制御部１０１の制御下にて、注目位置特定部、出力部が駆動することにより実現される構成としたが、これに限られるものではなく、中央制御部１０１のＣＰＵによって所定のプログラム等が実行されることにより実現される構成としても良い。
すなわち、プログラムを記憶するプログラムメモリ（図示略）に、注目位置特定処理ルーチン、出力処理ルーチンを含むプログラムを記憶しておく。そして、注目位置特定処理ルーチンにより中央制御部１０１のＣＰＵを、コンテンツを表示している表示手段に対するユーザの視線の対象となる、逐次変化する空間的な視線位置である視線位置情報に基づき、前記コンテンツに対するユーザの空間的な注目位置を特定する手段として機能させるようにしても良い。また、出力処理ルーチンにより中央制御部１０１のＣＰＵを、注目位置特定処理ルーチンにより特定された前記空間的な注目位置を示す注目位置情報と、前記コンテンツを示すコンテンツ情報と、を対応付けて出力する手段として機能させるようにしても良い。
【００６８】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６９】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
コンテンツを表示している表示手段に対するユーザの視線の対象となる、逐次変化する空間的な視線位置である視線位置情報に基づき、前記コンテンツに対するユーザの空間的な注目位置を特定する注目位置特定手段と、
前記注目位置特定手段により特定された前記空間的な注目位置を示す注目位置情報と、前記コンテンツを示すコンテンツ情報と、を対応付けて、時間的に異なるタイミング或いは空間的に異なる位置で視認可能に出力する出力手段と、
を備えることを特徴とする出力装置。
＜請求項２＞
前記注目位置特定手段は、前記ユーザの逐次変化する視線位置の対象となる空間的な視線位置を逐次特定し、その逐次特定された空間的な視線位置の各々を複数の領域に区分けしたときの、各領域に属する空間的な視線位置の度数を使用して前記空間的な注目位置を特定することを特徴とする請求項１に記載の出力装置。
＜請求項３＞
前記出力手段により出力された前記コンテンツ情報に基づき、前記ユーザとしての第１のユーザとは時間的或いは空間的に異なる第２のユーザが視認する表示手段に前記コンテンツが表示された際に、当該コンテンツ情報とともに出力された前記注目位置情報に基づき、前記空間的な注目位置を、当該表示手段に識別可能に表示させる表示制御手段を更に備えることを特徴とする請求項１又は２に記載の出力装置。
＜請求項４＞
前記コンテンツは動画コンテンツであって、
前記動画コンテンツの時間的な注目位置を特定する注目時間特定手段を更に備え、
前記出力手段は、前記注目時間特定手段により特定された前記時間的な注目位置を示す注目時間情報を、前記コンテンツ情報及び前記注目位置情報と対応付けて出力し、
前記表示制御手段は、前記出力手段により出力された前記コンテンツ情報に基づき、前記第２のユーザが視認する表示手段に前記動画コンテンツが再生表示された際に、当該コンテンツ情報とともに出力された前記注目時間情報に基づく前記時間的な注目位置と、前記注目位置情報に基づく前記空間的な注目位置と、を共通の指標により当該表示手段に識別可能に表示させることを特徴とする請求項３に記載の出力装置。
＜請求項５＞
前記出力手段は、更に前記視線位置情報を出力し、
前記出力手段により出力された前記視線位置情報に基づき、前記空間的な視線位置と、前記指標の表示位置と、が一致するか否かを判別する判別手段を更に備え、
前記表示制御手段は、前記判別手段により、前記空間的な視線位置と、前記指標の表示位置と、が一致すると判別された場合には、当該指標の表示態様を変化させることを特徴とする請求項４に記載の出力装置。
＜請求項６＞
前記注目位置特定手段は、前記視線位置情報及び前記注目時間情報に基づき、前記第１のユーザの注目度を更に特定し、
前記表示制御手段は、前記第２のユーザが視認する表示手段に前記動画コンテンツが再生表示された際に、前記注目位置特定手段により特定された前記第１のユーザの注目度を加味して、前記時間的な注目位置と、前記空間的な注目位置と、を共通の指標により当該表示手段に識別可能に表示させることを特徴とする請求項４又は５に記載の出力装置。
＜請求項７＞
前記出力手段は、出力対象となる所定の情報を外部装置又は記憶手段に出力することを特徴とする請求項１〜６の何れか一項に記載の出力装置。
＜請求項８＞
コンテンツを表示している表示手段に対するユーザの視線の対象となる、逐次変化する空間的な視線位置である視線位置情報に基づき、前記コンテンツに対するユーザの空間的な注目位置を特定する処理と、
特定された前記空間的な注目位置を示す注目位置情報と、前記コンテンツを示すコンテンツ情報と、を対応付けて、時間的に異なるタイミング或いは空間的に異なる位置で視認可能に出力する処理と、
を含むことを特徴とする出力方法。
＜請求項９＞
コンピュータに、
コンテンツを表示している表示手段に対するユーザの視線の対象となる、逐次変化する空間的な視線位置である視線位置情報に基づき、前記コンテンツに対するユーザの空間的な注目位置を特定する注目位置特定機能、
前記注目位置特定機能により特定された前記空間的な注目位置を示す注目位置情報と、前記コンテンツを示すコンテンツ情報と、を対応付けて、時間的に異なるタイミング或いは空間的に異なる位置で視認可能に出力する出力機能、
を実現させることを特徴とするプログラム。
【符号の説明】
【００７０】
１００    コンテンツ共有システム
１        端末装置
１０１    中央制御部
１０２    メモリ
１０３    記録部
１０４    表示部
１０４ａ  表示パネル
１０５    操作入力部
１０５ａ  タッチパネル
１０６    視線検出用カメラ
１０７    通信制御部
１０８    動作処理部
１０８ａ  視線位置特定部
１０８ｂ  注目時間特定部
１０８ｃ  注目位置特定部
１０８ｄ  出力部
１０８ｅ  注目位置表示制御部
１０８ｆ  判別部
【図１】
2017228197.tif 000003
【図２】
2017228197.tif 000004
【図３】
2017228197.tif 000005
【図４】
2017228197.tif 000006
【図５】
2017228197.tif 000007
【図６】
2017228197.tif 000008